(57)【要約】  データスケジューリングアクティビティの状態を判定するように、無線ユーザ機器デバイスを動作させるための機構。そのようなアクティビティ状態（並びに、信号干渉及び／又はチャネル条件の測定値などの他の情報）を使用して、高電力高性能受信機と低電力基本受信機との選択を、動的に制御することができる。第１の機構は、スケジュールされたサブフレームの各発生の際に、高いアクティビティ状態に遷移して、タイマーを始動させることを伴う。そのタイマーが満了する場合は常に、低いアクティビティ状態への遷移が実施される。第２の機構は、時間間隔のシーケンスにそれぞれ対応する、２進値のインジケータのシーケンスをフィルタ処理することを伴う。各インジケータは、対応する時間間隔の間にサブフレームがスケジュールされているか否かを示す。このフィルタ出力を閾値と比較して、高い／低いアクティビティ状態を判定する。フィルタのインパルス応答の時間的幅を増大させることにより、定常状態でのアクティビティ状態判定の精度を損なうことなく、迅速な初期応答をサポートすることができる。詳細説明：高電力高性能（ＨＰＨＰ）受信機と低電力基本（ＬＰＢ）受信機との選択は、デバイスが経験している、干渉のレベル、チャネル条件、及びデータスケジューリングアクティビティ（ＤＳＡ）に基づいて判定されている。より具体的には、データサブフレームがスケジュールされている場合、そのデバイスは、高ＤＳＡの状態に遷移して、タイマーが始動される。タイマーが満了するまで、そのデバイスは、高ＤＳＡ状態に留まる。ＨＰＨＰ受信機とＬＰＢ受信機との選択は、そのデバイスが高ＤＳＡ状態にあるか又は低ＤＳＡ状態にあるかに基づいて実施される。
2015533270.tif 000002
【特許請求の範囲】
【請求項１】
セルラーネットワークと無線通信するように構成された無線ユーザ機器（ＵＥ）デバイスを動作させるための方法であって、前記ＵＥデバイスが、第１受信機及び第２受信機を含み、前記方法が、
処理エージェントを利用して動作のセットを実行することを含み、前記動作が、
受信制御チャネルを分析して、スケジュールされたサブフレームの発生を検出することと、
アクティビティタイマーが作動していないとき、第１のスケジューリング状態に留まることと、
Ｙ個の直近のサブフレーム期間内での、少なくともＮ個のスケジュールされたサブフレームの前記発生の検出に応じて、第２のスケジューリング状態に遷移して、前記アクティビティタイマーを始動させることであって、１≦Ｎ≦Ｙである、ことと、
前記アクティビティタイマーが満了すると、前記第１のスケジューリング状態に遷移することと、
制御データに基づいて、前記第１受信機と前記第２受信機との選択を制御することと、
を含み、前記制御データが、現在の状態が前記第１のスケジューリング状態に等しいか又は前記第２のスケジューリング状態に等しいかを示す情報を含み、前記第２受信機が、前記第１受信機よりも高い電力で動作するように構成され、前記第２受信機が、前記第１受信機よりも低い復号誤り率及び／又は高いデータレートを達成する、より複雑な復号アルゴリズムを採用する、
方法。
【請求項２】
前記第１受信機が、線形等化アルゴリズムを採用する、請求項１に記載の無線ＵＥデバイス。
【請求項３】
前記第２受信機が、先進的干渉除去アルゴリズムを採用する、請求項１に記載の無線ＵＥデバイス。
【請求項４】
前記制御データがまた、チャネル条件の指標及び／又は受信信号干渉の指標も含む、請求項１に記載の無線ＵＥデバイス。
【請求項５】
Ｎ＝Ｙ＝１である、請求項１に記載の無線ＵＥデバイス。
【請求項６】
１＜Ｎ＜Ｙである、請求項１に記載の無線ＵＥデバイス。
【請求項７】
無線ユーザ機器（ＵＥ）デバイスを動作させるための不揮発性コンピュータ可読メモリ媒体であって、前記ＵＥデバイスが、第１受信機及び第２受信機を含み、前記メモリ媒体が、プログラム命令を記憶し、前記プログラム命令が、プロセッサによって実行されると、前記プロセッサに、
受信制御チャネルを分析させて、スケジュールされたサブフレームの発生を検出させ、
アクティビティタイマーが作動していないとき、第１のスケジューリング状態に留めさせ、
Ｙ個の直近のサブフレーム期間内での、少なくともＮ個のスケジュールされたサブフレームの前記発生の検出に応じて、第２のスケジューリング状態に遷移させて、前記アクティビティタイマーを始動させ、１≦Ｎ≦Ｙであり、
前記アクティビティタイマーが満了すると、前記第１のスケジューリング状態に遷移させ、
制御データに基づいて、前記第１受信機と前記第２受信機との選択を制御させ、前記制御データが、現在の状態が前記第１のスケジューリング状態に等しいか又は前記第２のスケジューリング状態に等しいかを示す情報を含み、前記第２受信機が、前記第１受信機よりも高い電力で動作するように構成され、前記第２受信機が、前記第１受信機よりも低い復号誤り率及び／又は高いデータレートを達成する、より複雑な復号アルゴリズムを採用する、不揮発性コンピュータ可読メモリ媒体。
【請求項８】
前記第１受信機が、線形等化アルゴリズムを採用する、請求項７に記載のメモリ媒体。
【請求項９】
前記第２受信機が、先進的干渉除去アルゴリズムを採用する、請求項７に記載のメモリ媒体。
【請求項１０】
前記制御データがまた、チャネル条件の指標も含む、請求項７に記載のメモリ媒体。
【請求項１１】
前記制御データがまた、受信信号干渉の指標も含む、請求項７に記載のメモリ媒体。
【請求項１２】
Ｎ＝Ｙ＝１である、請求項７に記載のメモリ媒体。
【請求項１３】
１＜Ｎ＜Ｙである、請求項７に記載のメモリ媒体。
【発明の詳細な説明】
【技術分野】
【０００１】
本明細書で開示される実施形態は、無線通信デバイスに関し、より詳細には、無線ユーザ機器デバイス内の受信機の適応的選択のための機構に関する。
【背景技術】
【０００２】
無線通信システムの利用が急速に伸びている。更には、無線通信技術は、音声のみの通信から、インターネット及びマルチメディアコンテンツなどの、データの伝送も含むまでに進化した。
【０００３】
無線デバイスは、高電力高性能受信機及び低電力基本受信機の双方を含み得る。電力を節約し、またそれゆえ、高電力受信機の不必要な使用を回避するための、基本的な必要性が存在する。また、低電力基本受信機では不十分な恐れがある苛酷な干渉環境下で、許容範囲の復号性能を達成するための、基本的な必要性も存在する。より全般的には、２つのタイプの受信機を使用しつつ、省電力とデータ復号の性能との最適な（又は、改善された）バランスを達成することが可能な機構に対する、必要性が存在する。
【発明の概要】
【０００４】
無線ユーザ機器（ＵＥ）デバイスは、基地局と無線通信するように構成することができる。一部の実装では、ＵＥデバイスは、高電力高性能（ＨＰＨＰ）受信機、低電力基本（ＬＰＢ）受信機、及び処理要素を含み得る。処理要素は、受信制御チャネルを分析又は監視して、スケジュールされたサブフレームの発生を検出するように、構成することができる。（この制御チャネルは、基地局からの送信の一部とすることができる。）処理要素は、特定のアクティビティタイマーが作動していないとき、第１のスケジューリング状態に留まることができる。スケジュールされたサブフレームの発生の各検出に応じて、処理要素は、第２のスケジューリング状態に遷移して、アクティビティタイマーを始動させることができる。更には、処理要素は、アクティビティタイマーが満了すると、第１のスケジューリング状態に遷移することができる。処理要素は、制御データに基づいて、ＨＰＨＰ受信機とＬＰＢ受信機との選択を制御することができ、この制御データは、現在の状態が第１のスケジューリング状態に等しいか又は第２のスケジューリング状態に等しいかを示す情報を含む。この制御データはまた、チャネル条件の指標、及び／又は受信信号干渉の指標も含み得る。
【０００５】
他の実装では、処理要素は、受信制御チャネルを分析して、スケジュールされたサブフレームの発生を検出するように、構成することができる。処理要素は、アクティビティタイマーが作動していないとき、第１のスケジューリング状態に留まることができる。Ｙ個の直近のサブフレーム期間内での、少なくともＮ個のスケジュールされたサブフレームの発生の検出に応じて、処理要素は、第２のスケジューリング状態に遷移して、アクティビティタイマーを始動させることができ、ここで、１≦Ｎ≦Ｙである。更には、処理要素は、アクティビティタイマーが満了すると、第１のスケジューリング状態に遷移することができる。処理要素は、制御データに基づいて、ＨＰＨＰ受信機とＬＰＢ受信機との選択を制御することができ、この制御データは、現在の状態が第１のスケジューリング状態に等しいか又は第２のスケジューリング状態に等しいかを示す情報を含む。この制御データはまた、チャネル条件の指標及び／又は受信信号干渉の指標も含み得る。
【０００６】
更に他の実装では、処理要素は、時間間隔のシーケンスにそれぞれ対応する、２進値のインジケータのシーケンスを受信するように構成することができ、それら２進値のインジケータのそれぞれは、それらの時間間隔のうちの対応する１つ内にサブフレームがスケジュールされているか否かを示す。処理要素は、フィルタを使用して２進値のインジケータのシーケンスをフィルタ処理することにより、出力シーケンスを得ることができる。このフィルタ処理のアクションは、フィルタのインパルス応答の時間的幅を、第１の正値から、第１の正値よりも大きい第２の正値へと増大させることを含み得る。更には、処理要素は、その出力シーケンスの現在値に閾値を適用することにより、スケジューリングアクティビティが高いか又は低いかを示す判定値を得ることができる。この判定値を使用して、ＨＰＨＰ受信機とＬＰＢ受信機との選択を制御することができる。この制御データはまた、チャネル条件の指標及び／又は受信信号干渉の指標も含み得る。
【０００７】
一実装では、フィルタは、シングルタップＩＩＲフィルタである。この場合には、フィルタのインパルス応答の時間的幅は、既定の時間間隔にわたって、シングルタップに対応するフィルタ係数を減少させることによって、増大させることができる。
【０００８】
別の実装では、フィルタは、ＦＩＲフィルタである。この場合には、フィルタのインパルス応答の時間的幅は、既定の時間間隔にわたって、フィルタ窓（ＦＩＲフィルタによって使用される）のサイズを増大させることによって、増大させることができる。
【０００９】
本明細書で開示される実装の一部は、高速パケットアクセス（ＨＳＰＡ）ファミリーの、第３世代（３Ｇ）移動電話通信プロトコルである、ＨＳＤＰＡ（高速ダウンリンクパケットアクセス）のコンテキストで説明される。しかしながら、本明細書で説明される発明原理は、多種多様な通信プロトコル及び通信技術のうちのいずれにも、広範に適用されることを理解されたい。
【図面の簡単な説明】
【００１０】
以下の実施形態の詳細な説明を、以下の図面と併せて考察することにより、本発明のより良好な理解を得ることができる。
【００１１】
【図１】基地局（ＢＳ）及び複数のユーザデバイスを含む、無線通信システムの実施例を示す図である。
【００１２】
【図２】ユーザ機器（ＵＥ）デバイス１０６と通信する基地局１０２の実施例を示す図である。
【００１３】
【図３】ユーザ機器１０６の一実施形態に関するブロック図である。
【００１４】
【図４】基地局１０２の一実施形態に関するブロック図である。
【００１５】
【図５】高電力高性能受信機と低電力基本受信機との適応的選択に関する状態図の、一実施形態を示す図である。
【００１６】
【図６】データスケジューリングアクティビティの状態を判定するための、状態マシンの実施例を示す図である。
【００１７】
【図７】データスケジューリングアクティビティの現在の状態を判定するための、タイマーベースの方法の一実施形態を示す図である。
【００１８】
【図８】一実施形態によるＵＥデバイス８００のブロック図である。
【００１９】
【図９】データスケジューリングアクティビティの現在の状態を判定するための、タイマーベースの方法の第２の実施形態を示す、流れ図である。
【００２０】
【図１０】漸進的フィルタ初期化を使用しないＦＩＲフィルタ及び漸進的フィルタ初期化を使用しないＦＩＲフィルタを使用する、データスケジューリングアクティビティの判定の概念を示す図である。
【００２１】
【図１１】データスケジューリングアクティビティの現在の状態を判定するための、フィルタベースの方法の一実施形態を示す図である。
【００２２】
本明細書で説明される特徴は、様々な修正及び代替形態を受け入れる余地があるが、その特定の実施形態を例として図面に示し、本明細書で詳細に説明する。しかしながら、図面及びそれらに対する詳細な説明は、開示される特定の形態に限定することを意図するものではなく、反対に、その意図は、添付の特許請求の範囲によって定義されるような本開示の趣旨及び範囲内に含まれる、全ての修正、等価物、及び代替物を包含するものであることを理解されたい。
【発明を実施するための形態】
【００２３】
頭字語のリスト
本特許出願では、以下の頭字語が使用される。
【００２４】
ＡＩＣ：先進的干渉除去
【００２５】
ＡＳＩＣ：特定用途向け集積回路
【００２６】
ＢＳ：基地局
【００２７】
ＣＰＩＣＨ：共通パイロットチャネル
【００２８】
ＤＬ：ダウンリンク
【００２９】
ＥＰＳ：進化型パケットシステム
【００３０】
ＦＩＲ：有限インパルス応答
【００３１】
ＦＰＧＡ：フィールドプログラマブルゲートアレイ
【００３２】
ＧＳＭ（登録商標）：移動通信用のグローバルシステム
【００３３】
ＨＳ−ＳＣＣＨ：高速共用制御チャネル
【００３４】
ＨＳＤＰＡ：高速ダウンリンクパケットアクセス
【００３５】
ＩＩＲ：無限インパルス応答
【００３６】
ＬＴＥ：ロングタームエボリューション
【００３７】
ＭＡＣ：媒体アクセス制御
【００３８】
ＰＨＥ：プログラム可能ハードウェア要素
【００３９】
ＲＲＣ：無線リソース制御
【００４０】
Ｒｘ：受信、又は受信する、又は受信機
【００４１】
ＳＮＲ：信号対雑音比
【００４２】
ＴＴＩ：送信時間間隔
【００４３】
Ｔｘ：送信、又は送信する、又は送信機
【００４４】
ＵＥ：ユーザ機器
【００４５】
ＵＬ：アップリンク
【００４６】
ＵＭＴＳ：ユニバーサル移動通信システム
専門用語
【００４７】
以下は、本出願で使用される用語の用語集である。
【００４８】
メモリ媒体−メモリ媒体−メモリ媒体は、情報の記憶及び検索のために構成された媒体である。メモリ媒体の例としては、ＲＡＭ及びＲＯＭなどの様々な種類の半導体メモリ、磁気ディスク、テープ、ストリップ、フィルムなどの様々な種類の磁気媒体、ＣＤ−ＲＯＭ及びＤＶＤ−ＲＯＭなどの様々な種類の光学的媒体、電荷及び／又は他の物理量の記憶に基づく様々な媒体、様々なリソグラフィー技術使用して製造される媒体などが挙げられる。用語「メモリ媒体」はまた、異なる場所に、例えば、ネットワークを介して接続されている異なるコンピュータに存在する、２つ以上のメモリ媒体のセットも含み得る。
【００４９】
キャリア媒体−上述のようなメモリ媒体、並びに、バス、ネットワークなどの物理的伝送媒体、及び／又は、電気的信号、電磁気的信号、若しくはデジタル信号などの信号を伝達する他の物理的伝送媒体。
【００５０】
プログラム可能ハードウェア要素−プログラム可能相互接続子を介して接続された複数のプログラム可能機能ブロックを備える、様々なハードウェアデバイスを含む。例としては、ＦＰＧＡ（フィールドプログラマブルゲートアレイ）、ＰＬＤ（プログラム可能論理デバイス）、ＦＰＯＡ（フィールドプログラマブルオブジェクトアレイ）、及びＣＰＬＤ（複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及び得る。プログラム可能ハードウェア要素はまた、「再構成可能論理」と称することもできる。
【００５１】
プログラム−用語「プログラム」は、その通常の意味の全容を有することが意図される。本明細書で使用するとき、用語「プログラム」は、その意味の範囲内に、１）メモリ内に記憶され、プロセッサによって実効可能な、ソフトウェアプログラム、又は、２）プログラム可能ハードウェア要素を構成するために使用可能な、ハードウェア構成プログラムを包含する。本明細書で説明される方法の実施形態のうちのいずれか、又は、本明細書で説明される方法の実施形態の任意の組み合わせ、又は、本明細書で説明される方法の実施形態のうちのいずれかの任意のサブセット、又は、そのようなサブセットの任意の組み合わせを、１つ以上のプログラムの観点で実施することができる。
【００５２】
コンピュータシステム−コンピュータシステム（ＰＣ）、メインフレームコンピュータシステム、ワークステーション、ラップトップコンピュータ、タブレットコンピュータ、ネットワーク家電、インターネット家電、無線携帯情報端末（ＰＤＡ）、携帯電話、メディアプレーヤ、テレビジョンシステム、グリッドコンピューティングシステム、又は他のデバイス若しくはデバイスの組み合わせを含めた、様々なタイプのコンピューティングシステム又は処理システムのうちのいずれか。一般的に、用語「コンピュータシステム」は、永続的メモリ媒体内に記憶された命令を実行する少なくとも１つのプロセッサを有する、任意のデバイス（又は、デバイスの組み合わせ）を包含するように、広範に定義することができる。
【００５３】
ユーザ機器（ＵＥ）（又は「ＵＥデバイス」）−移動式又は携帯式であり、無線通信を実行する、様々なタイプのコンピュータシステムデバイスのうちのいずれか。ＵＥデバイスの例としては、携帯電話若しくはスマートフォン（例えば、ｉＰｈｏｎｅ（登録商標）、Ａｎｄｒｏｉｄ（登録商標）ベースの電話）、携帯型ゲームデバイス（例えば、ニンテンドーＤＳ（登録商標）、プレイステーションポータブル（登録商標）、ゲームボーイアドバンス（登録商標）、ｉＰｈｏｎｅ（登録商標））、ラップトップ、ＰＤＡ、携帯型インターネットデバイス、音楽プレーヤ、メディアプレーヤ、データ記憶デバイス、又は他のハンドヘルドデバイスなどが挙げられる。一般的に、用語「ＵＥ」又は「ＵＥデバイス」は、ユーザによって容易に運搬され、無線通信が可能な、任意の電子デバイス、コンピューティングデバイス、及び／又は電気通信デバイス（又は、デバイスの組み合わせ）を包含するように、広範に定義することができる。
【００５４】
基地局（ＢＳ）−用語「基地局」は、その通常の意味の全容を有し、無線通信システム又は無線システムの一部として通信するために、（例えば、固定された場所に）設置され、使用される、無線通信局を少なくとも含む。
【００５５】
チャネル−送信側（送信機）から受信機に情報を伝達するために使用される媒体。用語「チャネル」の特性は、異なる無線プロトコルによって異なる場合があるため、用語「チャネル」は、本明細書で使用されるとき、その用語が関連して使用されるデバイスのタイプの標準規格に合致する方式で使用されていると、見なすことができる点に留意されたい。一部の標準規格では、チャネル幅は、（例えば、デバイス能力、帯域条件などに応じて）可変とすることができる。例えば、ＬＴＥは、１．４ＭＨｚ〜２０ＭＨｚのスケーラブルなチャネル帯域幅をサポートすることができる。対照的に、ＷＬＡＮのチャネルは、２２ＭＨｚの幅とすることができ、その一方で、Ｂｌｕｅｔｏｏｔｈ（登録商標）のチャネルは、１ＭＨｚの幅とすることができる。他のプロトコル及び標準規格は、異なるチャネルの定義を含み得る。更には、一部の標準規格は、複数のタイプのチャネル、例えば、アップリンク若しくはダウンリンクのための異なるチャネル、及び／又は、データ、制御情報などの異なる用途のための異なるチャネルを、定義し、使用することができる。
【００５６】
処理ユニット−定義された機能（又は、機能のセット）を実行するための処理要素又は共に動作する処理要素の組み合わせを指す。処理要素としては、例えば、ＡＳＩＣ（特定用途向け集積回路）などの回路、個別のプロセッサコアの諸部分、プロセッサコア全体、個別のプロセッサ、フィールドプログラマブルゲートアレイ（ＦＰＧＡ）などのプログラム可能ハードウェアデバイス、及び／又は複数のプロセッサを含むシステムのより大きい部分、並びにこれらの任意の組み合わせが挙げられる。
【００５７】
自動的に−アクション又は動作を直接指定若しくは実行する、ユーザ入力を使用することなく、コンピュータシステム（例えば、コンピュータシステムによって実行されるソフトウェア）又はデバイス（例えば、回路機構、プログラム可能ハードウェア要素、ＡＳＩＣなど）によって実行される、アクション又は動作を指す。それゆえ、用語「自動的に」は、ユーザが入力を提供することにより動作を直接実行する、ユーザによって手作業で実行又は指定される動作とは対照的である。自動手順は、ユーザによって提供される入力によって開始させることができるが、「自動的に」実行される後続のアクションは、ユーザによって指定されず、すなわち、実行するべき各アクションをユーザが指定する「手作業」では実行されない。例えば、ユーザが、各フィールドを選択して、情報を指定する入力を提供することによって（例えば、情報を打ち込むこと、チェックボックス、無線選択を選択することなどによって）、電子フォームに記入することは、コンピュータシステムが、そのユーザアクションに応じて、そのフォームを更新しなければならない場合であっても、手作業でフォームに記入することである。コンピュータシステム（例えば、コンピュータシステム上で実行されるソフトウェア）が、フォームのフィールドを分析して、そのフィールドに対する回答を指定するユーザ入力を全く使用することなく、フォームに記入する場合、そのフォームは、コンピュータシステムによって自動的に記入することができる。上述のように、ユーザは、フォームの自動記入を呼び出すことができるが、フォームの実際の記入には関与しない（例えば、ユーザは、フィールドに対する回答を手作業で指定するのではなく、それらの回答は、自動的に完了される）。本明細書は、ユーザが行ったアクションに応じて動作が自動的に実行される、様々な実施例を提供する。
図１及び図２−通信システム
【００５８】
図１は、本開示の実施形態のいずれか又は全てを実施するために使用することが可能な、無線通信システムの実施例を示す。（しかしながら、本開示の実施形態は、図１によって確立されるコンテキストに限定されるものではないことを理解されたい。様々な他の通信システムのアーキテクチャが想到される。）この無線通信システムは、基地局１０２及び１つ以上のユーザ機器（ＵＥ）デバイス１０６Ａ〜１０６Ｎを含み得る。基地局１０２は、伝送媒体（例えば、大気若しくは自由空間、又は流体）を介して、ＵＥデバイス１０６Ａ〜１０６Ｎと通信する。
【００５９】
基地局１０２は、送受信基地局（ＢＴＳ）又はセルサイトとすることができ、ＵＥデバイス１０６Ａ〜１０６Ｎとの無線通信を可能にするハードウェアを含み得る。基地局１０２はまた、ネットワーク１００と通信するための装備も有し得る。それゆえ、基地局１０２は、ＵＥデバイス間の通信、及び／又はＵＥデバイスとネットワーク１００との間の通信を容易にすることができる。基地局の通信領域（又はカバレージ領域）は、「セル」と称することができる。基地局１０２及びＵＥデバイスは、ＨＳＤＰＡ、ＬＴＥ、ＵＭＴＳ、ＧＳＭ（登録商標）、ＣＤＭＡ、ＷＬＬ、ＷＡＮ、ＷｉＦｉ（登録商標）、ＷｉＭＡＸ（登録商標）、Ｂｌｕｅｔｏｏｔｈ（登録商標）などの様々な無線通信技術及び／又は標準規格のうちのいずれかを使用して、伝送媒体を介して通信するように、構成することができる。
【００６０】
図２は、基地局１０２と通信するＵＥデバイス１０６（例えば、デバイス１０６Ａ〜１０６Ｎのうちの１つ）を示す。ＵＥデバイス１０６は、携帯電話、ハンドヘルドデバイス、コンピュータ若しくはタブレット、メディアプレーヤ、携帯情報端末、又は実質上任意のタイプの無線デバイスなどの、無線ネットワーク接続性を有するデバイスとすることができる。ＵＥデバイス１０６は、メモリ内に記憶されたプログラム命令を実行するように構成された、プロセッサを含み得る。このＵＥデバイスは、そのような記憶された命令を実行することによって、本明細書で説明される方法の実施形態のうちのいずれかを実行することができる。一部の実施形態では、このＵＥデバイスは、本明細書で説明される方法の実施形態のうちのいずれか、又は本明細書で説明される方法の実施形態のうちのいずれかの任意の部分を実行するように構成された、ＦＰＧＡ（フィールドプログラマブルゲートアレイ）などの、プログラム可能ハードウェア要素を含み得る。
【００６１】
一部の実施形態では、ＵＥデバイス１０６は、以下で様々に説明されるような、適応的な受信機選択を実行するように構成することができる。
図３−ＵＥデバイスの例示的ブロック図
【００６２】
図３は、ＵＥデバイス１０６の例示的ブロック図を示す。図示のように、ＵＥデバイス１０６は、様々な目的のための諸部分を含み得る、システムオンチップ（ＳＯＣ）２００を含み得る。例えば、ＳＯＣ２００は、プロセッサ２０２及び表示回路機構２０４を含み得る。プロセッサ２０２は、ＵＥデバイス１０６に関するプログラム命令を実行することができる。表示回路機構２０４は、グラフィック処理を実行して、ディスプレイ２４０に表示信号を提供することができる。プロセッサ２０２はまた、メモリ管理ユニット（ＭＭＵ）２４０にも結合することができる。ＭＭＵ２４０は、プロセッサ２０２からアドレスを受信して、それらのアドレスを、メモリ、例えばメモリ２０６、読み取り専用メモリ（ＲＯＭ）２５０、及びフラッシュメモリ２１０内の場所に変換するように、構成することができる。ＲＯＭ２５０は、起動又は初期化中にプロセッサ２０２によって実行することが可能な、ブートローダを含み得る。ＭＭＵ２４０は、メモリ保護並びにページテーブルの変換及び／又はセットアップを実行するように、構成することができる。一部の実施形態では、ＭＭＵ２４０は、プロセッサ２０２の一部として含めることができる。
【００６３】
ＳＯＣ２００は、フラッシュメモリ２１０、コネクタインタフェース２２０、無線サブシステム２３０、及びディスプレイ２４０などの、他の回路又はデバイスに結合することができる。
【００６４】
コネクタインタフェース２２０は、外部コンピュータシステムへの結合のために構成することができる。
【００６５】
無線サブシステム２３０は、１つ以上の無線アクセス技術に従った、基地局及び／又は他のデバイスとの無線通信のために構成することができる。無線サブシステム２３０は、１つ以上の無線送受信機（例えば、ＨＳＤＰＡ、ＬＴＥ、ＵＭＴＳ、ＧＳＭ（登録商標）、ＣＤＭＡ、ＷＬＬ、ＷＡＮ、ＷｉＦｉ、ＷｉＭＡＸ、Ｂｌｕｅｔｏｏｔｈ（登録商標）などを介した通信のために構成された、無線送受信機）を含み得る。
【００６６】
一部の実施形態では、無線サブシステム２３０は、第１受信機及び第２受信機を含む。他の実施形態では、第１受信機及び第２受信機は、プロセッサ２０２によって実行することができる。更に他の実施形態では、第１受信機及び第２受信機は、共に動作する無線サブシステム２３０及びプロセッサ２０２によって実行される。第２受信機は、第１受信機よりも高い電力で動作するように構成することができる。更には、第２受信機は、第１受信機よりも低い復号誤り率及び／又は高いデータレートを達成する、より複雑な復号アルゴリズムを採用することができる。任意の所定の瞬間にそれらの受信機のうちのいずれを使用するかを制御するための、様々な方法が以下で説明される。
【００６７】
ＵＥデバイス１０６は、１つ以上のアンテナのセット２３５を含み得る。無線サブシステム２３０は、このアンテナセット２３５を通じて信号を受信し、かつ空間中に信号を送信する。例えば、ＵＥデバイス１０６は、アンテナセット２３５を使用して、無線通信を実行することができる。一部の実施形態では、アンテナセット２３５は、２つ以上のアンテナを含み、無線サブシステム２３０は、その２つ以上のアンテナを使用する、基地局とのＭＩＭＯ通信のために構成される。
【００６８】
ＵＥデバイス１０６のプロセッサ２０２は、例えば、メモリ媒体（例えば、永続的コンピュータ可読メモリ媒体）上に記憶されたプログラム命令を実行することによって、本明細書で説明される方法の実施形態のうちのいずれか又はその一部を実施するように、構成することができる。一部の実施形態では、ＵＥデバイス１０６は、ＦＰＧＡ（フィールドプログラマブルゲートアレイ）などの１つ以上のプログラム可能ハードウェア要素、及び／又は１つ以上のＡＳＩＣ（特定用途向け集積回路）を含み得る。
図４−基地局
【００６９】
図４は、基地局１０２の実施例を示す。図示のように、基地局１０２は、基地局１０２に関するプログラム命令を実行する、プロセッサ３０４を含み得る。プロセッサ３０４はまた、プロセッサ３０４からアドレスを受け取って、それらのアドレスを、メモリ、例えばメモリ３６０及び読み取り専用メモリ（ＲＯＭ）３５０内の場所に変換するように構成された、メモリ管理ユニット（ＭＭＵ）３４０に結合することもできる。
【００７０】
基地局１０２は、１つ以上のネットワークポートのセット３７０を含み得る。ネットワークポート３７０は、ネットワーク（例えば、データネットワーク及び／又は電話ネットワーク）に結合して、ＵＥデバイス１０６などの複数のデバイスに、そのネットワークへのアクセスを提供するように、構成することができる。
【００７１】
ネットワークポート３７０はまた（又は、代替的に）、セルラーネットワーク、例えば、セルラーサービスプロバイダのコアネットワークに結合するように、構成することもできる。このコアネットワークは、ＵＥデバイス１０６などのデバイスに、移動性に関連するサービス及び／又は他のサービスを提供することができる。一部の場合には、ネットワークポート３７０は、コアネットワークを介して電話ネットワークに結合することができ、かつ／又は、そのコアネットワークが電話ネットワークを提供することができる。
【００７２】
基地局１０２は、１つ以上のアンテナのセット３３４を含み得る。アンテナセット３３４を、無線サブシステム３３０及び通信チェーン３３２と共に使用することにより、ＵＥデバイス１０６と無線通信することができる。アンテナセット３３４は、通信チェーン３３２を介して無線サブシステム３３０に結合することができる。通信チェーン３３２は、１つ以上の受信チェーン及び１つ以上の送信チェーンを含み得る。受信チェーンは、ＲＦからベースバンドへのダウン変換回路機構を含み得る。送信チェーンは、ベースバンドからＲＦへのアップ変換回路機構を含み得る。
【００７３】
無線サブシステム３３０は、通信チェーン３３２によって供給されたベースバンド信号を復調するように、かつ通信チェーン３３２による送信のための変調ベースバンド信号を生成するように、構成することができる。無線サブシステム３３０及び通信チェーン３３２は、１つ以上の無線通信標準規格、例えば、ＨＳＤＰＡ、ＬＴＥ、ＵＭＴＳ、ＧＳＭ（登録商標）、ＣＤＭＡ、ＷＬＬ、ＷＡＮ、ＷｉＦｉ、ＷｉＭＡＸ、Ｂｌｕｅｔｏｏｔｈ（登録商標）などの標準規格をサポートするように、構成することができる。
【００７４】
基地局１０２のプロセッサ３０４は、例えば、メモリ媒体（例えば、永続的コンピュータ可読メモリ媒体）内に記憶されたプログラム命令を実行することによって、本明細書で説明される方法のうちのいずれか又は全てを実施するように、構成することができる。一部の実施形態では、プロセッサ３０４は、ＦＰＧＡなどの１つ以上のプログラム可能ハードウェア要素、及び／又は、１つ以上のＡＳＩＣなどの専用デジタル回路機構を含み得る。それゆえ、本明細書で説明される方法のうちのいずれか又は全ては、そのようなプログラム可能ハードウェア及び／又は専用デジタル回路機構内で実施することができる。
図５：受信機選択に関する状態マシン
【００７５】
実施形態の１セットでは、ユーザ機器（ＵＥ）デバイス１０６内の高電力高性能受信機と低電力基本受信機との間で選択するための判定基準（又は、判定基準のうちの１つ）として、データスケジューリングアクティビティを使用することができる。選択された受信機は、受信ベースバンドデータ（例えば、受信されたシンボルのシーケンス）を操作して、基地局によって送信された下層の情報ビットの推定を復元することができる。高電力高性能（ＨＰＨＰ）受信機は、先進的干渉除去（ＡＩＣ）アルゴリズムを採用する受信機とすることができる。低電力基本（ＬＰＢ）受信機は、線形等化アルゴリズムを採用する受信機とすることができる。ＨＰＨＰ受信機及びＬＰＢ受信機は、プログラム命令の実行に応ずるプロセッサによって、ＦＰＧＡなどのプログラム可能ハードウェア要素によって、ＡＳＩＣなどの専用デジタル回路機構によって、又は前述の任意の組み合わせによって、実行することができる。
【００７６】
図５は、任意の所定の瞬間にいずれの受信機を使用するべきかを適応的に選択することに関する、状態図を示す。図５の方法、及び本明細書で説明される他の方法は、多種多様な通信プロトコルのうちのいずれかと共に使用することができる。一部の実施形態では、図５の方法、及び本明細書で説明される他の方法は、ＨＳＤＰＡのコンテキストで実施することができる。
【００７７】
高速（ＨＳ）ベアラが確立されると、ＵＥデバイスは、状態５１０に入る。この状態では、ＵＥデバイスのモデムは、低電力基本（ＬＰＢ）受信機を採用することができる。それゆえ、状態５１０は、ＬＰＢ受信機状態と称することができる。用語「ベアラ」は、仮想接続を意味する。用語「高速ベアラ」は、高速データを送信することができる、仮想データパイプを意味する。（高速ベアラの例としては、ＨＳＤＰＡにおけるＨＳベアラ、又はＬＴＥにおけるＥＰＳベアラが挙げられる。ＥＰＳは、進化型パケットシステムの頭字語である。）高速ベアラは、例えば、ＨＳＤＰＡ対応のＵＥが、基地局とのネゴシエーションに成功して、高速データ伝送が可能となる場合に、確立することができる。
【００７８】
状態５１０にある間、ＵＥデバイスは、反復的に、例えば、継続的又は定期的に、低から高への（ＬＨ）遷移条件５１５を評価することができる。ＵＥデバイスは、ＬＨ遷移条件がＴＲＵＥと評価されることに応じて、状態５２０に遷移することができる。状態５２０では、ＵＥデバイスのモデムは、高電力高性能（ＨＰＨＰ）受信機を採用することができる。それゆえ、状態５２０は、ＨＰＨＰ受信機状態と称することができる。
【００７９】
一部の実施形態では、ＬＨ遷移条件５１５は、以下の形態を有し得る。
【数１】
2015533270.tif 000003
しかしながら、多種多様な他の形態が想到される。
【００８０】
用語「干渉の量」は、ＵＥデバイスによって受信されている信号のうちの１つ以上での、干渉の量を指す。この干渉の量は、従来技術で既知の様々な方式のうちのいずれかで、測定することができる。（１）例えば、一実施形態では、ＵＥデバイスは、サービングセル（すなわち、現在そのＵＥデバイスにサービス提供しているセルの基地局）のＣＰＩＣＨに基づいて生成されるチャネル推定の、微小ではない（すなわち、十分に大きい）タップの数ＫＣＥを計数することによって、干渉の量を測定することができる。このチャネル推定は、離散時間インパルス応答として表すことができる。受信機サブシステム２３０及び／又はプロセッサ２０２は、このチャネル推定を生成するように構成することができる。サービングセルは、ＵＥデバイスによるチャネル推定を容易にするために、ＣＰＩＣＨ内で既知のパイロットシンボルを送信する。（２）別の実施形態では、ＵＥデバイスは、検出された隣接セル（すなわち、サービングセル以外のセル）の数ＮＮＣを計数することによって、干渉の量を測定することができる。セルの同期チャネル及びＣＰＩＣＨを監視することによって、セルを検出することができる。一部の実施形態では、技術（１）及び技術（２）の双方を、同時に使用することができる。それゆえ、干渉の量は、数ＫＣＥ及び数ＮＮＣの組み合わせに基づいて算出することができる。
【００８１】
干渉の量が著しいものであるか否かの判定は、その干渉の量を、既定の閾値ＴＨＩＮＦ１と比較することによって実行することができる。干渉の量が、この閾値を上回る場合には、その干渉の量は、著しいものとして認識される。閾値ＴＨＩＮＦ１は、ＨＰＨＰ受信機によって提供される、より高いデータレート及び／又はより低い復号誤り率の利益と、ＬＰＢ受信機によって提供される、より低い電力消費の利益とのトレードオフに基づいて、決定することができる。
【００８２】
データスケジューリングアクティビティは、ＵＥデバイスに割り当てられる通信リソースの量（又は、分率）を表すことができる。基地局は、その基地局のカバレージ領域内のＵＥデバイスのセット間での、リソースのスケジューリングを制御することができる。このリソースは、ＴＤＭＡのコンテキストでの、タイムスロットのセットを含み得る。
【００８３】
一部の実施形態では、データスケジューリングアクティビティは、データスケジューリング率、例えば、受信制御チャネル内に含まれる情報から算出される比率の観点で、表すことができる。（例えば、ＨＳＤＰＡのコンテキストでは、この制御チャネルは、ＨＳ−ＳＣＣＨとすることができる。ＨＳ−ＳＣＣＨは、高速共用制御チャネルの頭字語である。）一実施形態では、データスケジューリング率は、既定の期間にわたる、サブフレーム（又は、データパケット）の総数に対する、スケジュールされたサブフレーム（又は、データパケット）の数の比率として、算出することができる。
【００８４】
データスケジューリングアクティビティが高いか又は低いかの評価は、そのデータスケジューリングアクティビティ（又は、比率）を、閾値ＴＨＤＳＡ１と比較することによって実行することができる。閾値ＴＨＤＳＡ１は、ＨＰＨＰ受信機によって提供される、より高いデータレート及び／又はより低い復号誤り率の利益と、ＬＰＢ受信機によって提供される、より低い電力消費の利益とのトレードオフに基づいて、決定することができる。
【００８５】
チャネル条件は、受信パイロット信号の測定に基づいて判定することができる。このチャネル条件は、基地局とＵＥデバイスとの間、例えば、基地局のアンテナとＵＥデバイスのアンテナとの間のチャネルの条件を表す。より大きいチャネル条件の値は、より高いチャネル品質に対応し得る。チャネル条件の測定を容易にするために、パイロット信号は、データビット又はシンボルの既知のシーケンスを含み得る。ＨＳＤＰＡのコンテキストでは、パイロット信号は、ＣＰＩＣＨ内に含めることができる。ＬＴＥのコンテキストでは、パイロットチャネルは、参照信号（ＲＳ）内に含めることができる。
【００８６】
ＵＭＴＳ及び他のＣＤＭＡ通信システムのコンテキストでは、パイロット信号は、共通パイロットチャネル（ＣＰＩＣＨ）とすることができる。一部の実施形態では、チャネル条件は、そのパイロット信号の信号対雑音比（ＳＮＲ）とすることができる（又は、信号対雑音比（ＳＮＲ）を含み得る）。
【００８７】
チャネル条件は、閾値ＴＨＣＣ１と比較することができる。一部の実施形態では、ＴＨＣＣ１は、［８．７５ｄＢ，９．２５ｄＢ］の範囲内である。他の実施形態では、ＴＨＣＣ１は、［８．５ｄＢ，９．５ｄＢ］の範囲内である。しかしながら、信号環境及び／又は採用されている通信標準規格に応じて、閾値ＴＨＣＣ１に関する多種多様な他の値又は値の範囲を使用することができる。
【００８８】
高電力高性能（ＨＰＨＰ）受信機は、より効率的に受信信号内の干渉を除去することが可能であるため、低電力基本（ＬＰＢ）受信機よりも低い復号誤り率及び／又は高いデータレートを達成することができる。例えば、ＨＰＨＰ受信機は、変調及び符号化方式（ＭＣＳ）が固定されている場合には、ＬＰＢ受信機よりも低い復号誤り率を達成することができる。あるいは、ＨＰＨＰ受信機は、適応的ＭＣＳが採用される状況では、ＬＰＢ受信機よりも高いデータレートを達成することができる。（例えば、ＨＰＨＰ受信機は、ＬＰＢ受信機よりも高次のＭＣＳを採用して、ＬＰＢ受信機と同じか又はより低い復号誤り率を達成することができる。）上述のように、ＨＰＨＰ受信機は、先進的干渉除去（ＡＩＣ）アルゴリズムを利用することができる。先進的干渉除去アルゴリズムの例としては、ＭＭＳＥ−ＤＦＥ又はその変種が挙げられる。ＭＭＳＥは、最小平均２乗誤差を表す。ＤＦＥは、判定帰還型等化器を表す。ＭＭＳＥ−ＤＦＥアルゴリズムでは、この等化器は、受信シンボルシーケンスの第１のサブセットに基づいて、送信シンボルの第１のサブセットに関する復号の判定を行う。この判定は、帰還型フィルタに提供される。この帰還型フィルタの出力を、受信シンボルシーケンスの第２のサブセットから差し引くことにより、差分シンボルを得る。この等化器は、その差分値に基づいて、送信シンボルの第２のサブセットに関する復号の判定を行う。（これらの判定は、送信シンボルの第１のサブセットによるＩＳＩが除去されているため、より正確な傾向にある。）次いで、これらの判定が、帰還型フィルタに提供され、そのフィルタの出力が、受信シンボルシーケンスの第３のサブセットから差し引かれる、などとなる。ＤＦＥの構想は、本来はサービングセルのみを対象とするものであったが、以下のように、隣接セルからの干渉を除去するために、その構想を拡張することができる。この等化器は、隣接セルの送信に対する判定を行い、受信信号からそれらの送信を除去することにより、サービングセルからの送信をより良好に推定する。
【００８９】
ＨＰＨＰ受信機状態５２０にある間、ＵＥデバイスは、反復的に、例えば、継続的又は定期的に、高から低への（ＨＬ）遷移条件５２５を評価することができる。ＵＥデバイスは、ＨＬ遷移条件がＴＲＵＥと評価されることに応じて、ＬＰＢ受信機状態５１０に遷移することができる。ＬＰＢ受信機状態５１０にあるとき、ＵＥデバイスは、ＬＰＢ受信機を採用する。
【００９０】
一部の実施形態では、ＨＬ遷移条件５２５は、以下の形態を有し得る。
【数２】
2015533270.tif 000004
しかしながら、多種多様な他の形態が想到される。干渉の量、データスケジューリングアクティビティ、及びチャネル条件は、上記で様々に説明されたように判定することができる。
【００９１】
干渉の量が小さいか否かを判定するアクションは、その干渉の量を、既定の閾値ＴＨＩＮＦ２と比較することによって実行することができる。具体的には、干渉の量は、その干渉の量が閾値ＴＨＩＮＦ２を下回る場合には、小さいものであると宣言することができる。閾値ＴＨＩＮＦ２は、干渉の量が著しいか否かを判定するために上記で使用された、閾値ＴＨＩＮＦ１と同じものか、又は異なるものとすることができる。（例えば、一部の実施形態では、ＴＨＩＮＦ２＜ＴＨＩＮＦ１である。）
【００９２】
データスケジューリングアクティビティが低いか否かを判定するアクションは、そのデータスケジューリングアクティビティを、既定の閾値ＴＨＤＳＡ２と比較することによって実行することができる。具体的には、データスケジューリングアクティビティは、そのデータスケジューリングアクティビティが閾値ＴＨＤＳＡ２を下回る場合には、低いものであると言われる。閾値ＴＨＤＳＡ２は、データスケジューリングアクティビティが高いか否かを判定するために上記で使用された、閾値ＴＨＤＳＡ１と同じものか、又は異なるものとすることができる。（例えば、一部の実施形態では、ＴＨＤＳＡ２＜ＴＨＤＳＡ１である。）
【００９３】
上述のように、チャネル条件は、閾値ＴＨＣＣ２と比較することができる。上記のように、チャネル条件は、パイロットの信号対雑音比（例えば、ＣＰＩＣＨ  ＳＮＲ）から測定することができる。一部の実施形態では、ＴＨＣＣ２は、［９．７５ｄＢ，１０．２５ｄＢ］の範囲内の値である。他の実施形態では、ＴＨＣＣ２は、［９．５ｄＢ，１０．５ｄＢ］の範囲内の値である。しかしながら、例えば、信号環境及び／又は採用されている通信標準規格に応じて、ＴＨＣＣ２に関する多種多様な他の値又は値の範囲を使用することができる。
【００９４】
省電力の程度及びデータ復号の性能は、データスケジューリングアクティビティが測定される方式に応じて、変動し得ることを理解されたい。
固定された窓サイズにわたるデータスケジューリング率
【００９５】
上述のように、データスケジューリングアクティビティが高いか又は低いかを判定するために、ＵＥモデムは、データスケジューリング率を既定の閾値と比較することができる。ＨＳＤＰＡのコンテキストでは、データスケジューリング率は、固定サイズの測定窓の範囲内の、スケジュールされたサブフレームの数を計数することによって算出することができる。（用語「スケジュールされたサブフレーム」は、何らかの他のＵＥデバイスに割り当てられているサブフレーム又はいずれのＵＥデバイスにも割り当てられていないサブフレームではなく、現在のＵＥデバイスに割り当てられているサブフレームを指す。）例えば、測定窓が２０個のサブフレームに等しいサイズを有し、３つのサブフレームが、その２０個のサブフレームの窓にわたってスケジュールされている場合には、スケジューリング率は、３／２０又は１５％である。測定窓のサイズに関する値２０は、限定することを意図するものではないことを理解されたい。実際には、多種多様な他の値又は値の範囲を使用することができる。
【００９６】
窓サイズが小さい場合と大きい場合とでは、異なる性能メトリックが譲歩されることに留意されたい。小さい測定窓サイズは、データスケジューリングアクティビティの最初の測定値が利用可能になるまでの時間が短くなり、データスケジューリングアクティビティが高い状態に遷移する場合に、ＵＥデバイスが、より急速に高電力高性能受信機に切り替わることが可能になることを意味する。しかしながら、小さい測定窓サイズはまた、実際にはデータスケジューリングアクティビティが高いが、突発的又は断続的である場合に、データスケジューリングアクティビティが低いと誤って宣言する確率が、より高くなることも意味する。大きい測定窓サイズは、高いデータスケジューリングアクティビティを検出する点では、より堅牢であるが、初期化が遅い。
データスケジューリングアクティビティの状態のタイマーベースの制御
【００９７】
一部の実施形態では、データスケジューリングアクティビティの状態（高いか又は低いか）は、図６に示すような、タイマーベースの状態マシン６００で判定することができる。ＵＥデバイスのモデムは、この状態マシン６００を、例えば、図５の状態マシンの一部として実行することができる。
【００９８】
状態マシン６００は、低いデータスケジューリングアクティビティ（ＤＳＡ）の状態６１０に初期化することができる。
【００９９】
データサブフレームがスケジュールされる場合は常に、ＵＥデバイスのモデムは、高いデータスケジューリングアクティビティの状態６２０に遷移することができる。図６の遷移６１５を参照されたい。遷移６１５の一部として、既定の持続時間ＴＴＭＲ（例えば、既定のミリ秒数）のタイマーが始動される。状態マシン６００は、このタイマーが満了するまで、高ＤＳＡ状態に留まることができる。
【０１００】
タイマーが依然として作動している間、データサブフレームがスケジュールされる場合は常に、ＵＥデバイスのモデムは、図６の遷移６２２で示されるように、高ＤＳＡ状態から高ＤＳＡ状態に遷移する。遷移６２２の一部として、タイマーは、その初期値ＴＴＭＲで再始動される。
【０１０１】
タイマーが満了すると、状態マシン６００は、遷移６２４で示されるように、高ＤＳＡ状態６２０から低ＤＳＡ状態６１０に遷移する。
【０１０２】
状態マシン６００は、タイマーが作動していない間、低ＤＳＡ状態に留まることができる。
【０１０３】
状態マシン６００は、この判定が、ＴＴＩごとに（又は、より一般的には、サブフレーム周期ごとに）実施されると想定することができる。ＴＴＩは、送信時間間隔の頭字語である。基地局は、ＴＴＩの観点で、ＵＥデバイスにデータのパーセルを送信することができる。
【０１０４】
上述の論理は、長さが２つ以上のＴＴＩの窓に、一般化することができる。例えば、現在のデータサブフレームがスケジュールされているか否かを判定する代わりに、遷移６１５及び遷移６２２は、少なくともＮ個のデータサブフレームがＹ個のＴＴＩの窓にわたってスケジュールされているか否かを判定することを伴い得るものであり、Ｎ及びＹは、１≦Ｎ≦Ｙ（又は、一部の実施形態では、１≦Ｎ＜Ｙ）であるような、既定の整数値である。それゆえ、この「Ｙ個のうち少なくともＮ個」の条件が満たされる場合は常に、タイマーを始動（又は再始動）させることができる。このＹ個のＴＴＩの窓は、Ｙ個の直近のＴＴＩの移動窓とすることができる。
方法７００（図７）
【０１０５】
実施形態の１セットでは、ユーザ機器（ＵＥ）デバイスを動作させるための方法７００は、図７に示す動作を含み得る。（更には、方法７００は、上述の特徴、要素、及び実施形態のうちの任意のサブセットを含み得る。）方法７００は、処理エージェントによって、例えば、記憶されたプログラム命令の実行に応ずる１つ以上のプロセッサによって、ＦＰＧＡなどの１つ以上のプログラム可能ハードウェア要素によって、又はＡＳＩＣなどの１つ以上の特注設計デジタル回路によって、あるいは前述の任意の組み合わせによって、実行することができる。ＵＥデバイスは、第１受信機及び第２受信機を含み得る。第２受信機は、第１受信機よりも高い電力で動作するように構成することができる。更には、第２受信機は、例えば、上記で様々に説明されたように、第１受信機よりも低い復号誤り率及び／又は高いデータレートを達成する、より複雑な復号アルゴリズム（例えば、先進的干渉除去アルゴリズム）を採用することができる。
【０１０６】
７１０で、処理エージェントは、例えば、上記で様々に説明されたように、受信制御チャネルを分析して、スケジュールされたサブフレームの発生を検出することができる。
【０１０７】
７１５で、処理エージェントは、アクティビティタイマーが作動していないとき、第１のスケジューリング状態に留まることができる。
【０１０８】
７２０で、スケジュールされたサブフレームの発生の各検出に応じて、処理エージェントは、例えば、上記で様々に説明されたように、第２のスケジューリング状態に遷移して、アクティビティタイマーを始動させることができる。この遷移は、その意味の範囲内に、遷移が（図６の遷移６１５の場合と同様に）第１のスケジューリング状態から第２のスケジューリング状態へのものである可能性と、遷移が（図６の遷移６２２の場合と同様に）第２のスケジューリング状態からその第２のスケジューリング状態自体へのものである可能性とを含む。後者の可能性では、アクティビティタイマーを始動させるアクションは、アクティビティタイマーの再始動である。
【０１０９】
７２５で、処理エージェントは、アクティビティタイマーが満了すると、第１のスケジューリング状態に遷移することができる。
【０１１０】
７３０で、処理エージェントは、制御データに基づいて、第１受信機と第２受信機との選択を制御することができ、この制御データは、現在の状態が第１のスケジューリング状態に等しいか又は第２のスケジューリング状態に等しいかを示す情報を含む。第１のスケジューリング状態にあることは、第１受信機に向けて選択にバイアスをかける傾向がある。反対に、第２のスケジューリング状態にあることは、第２受信機に向けて選択にバイアスをかける傾向がある。しかしながら、例えば、図５に関連して上記で様々に説明されたように、この選択には、他の因子が関与し得る。選択された受信機は、受信ベースバンド信号（例えば、ダウン変換回路機構及びアナログ−デジタル変換回路機構を含むフロントエンドによって生成されたベースバンド信号）を操作して、出力ビットストリームを生成することができる。この出力ビットストリームのビットは、基地局によって送信された元のビットストリームの対応するビットの、推定を表す。
【０１１１】
一部の実施形態では、第１受信機は、線形等化アルゴリズムを採用するように構成され、かつ／又は、第２受信機は、先進的干渉除去アルゴリズムを採用するように構成される。
【０１１２】
一部の実施形態では、制御データはまた、例えば、上記で様々に説明されたように、チャネル条件の指標も含む。これらの実施形態では、第１受信機と第２受信機との選択を制御するアクションは、そのチャネル条件の指標を、既定の閾値と比較することを含み得る。チャネル条件の指標が閾値を上回ることは、第１受信機に向けて選択にバイアスをかける傾向がある。反対に、チャネル条件の指標が閾値を下回ることは、第２受信機に向けて選択にバイアスをかける傾向がある。
【０１１３】
一部の実施形態では、制御データはまた、例えば、上記で様々に説明されたように、受信信号干渉の指標も含む。これらの実施形態では、第１受信機と第２受信機との選択を制御するアクションは、その信号干渉の指標を、既定の閾値と比較することを含み得る。信号干渉の指標が閾値を上回ることは、第２受信機に向けて選択にバイアスをかける傾向がある。信号干渉の指標が閾値を下回ることは、第１受信機に向けて選択にバイアスをかける傾向がある。
【０１１４】
一部の実施形態では、制御データは、例えば、上記で様々に説明されたように、チャネル条件の指標及び受信信号干渉の指標を含む。これらの実施形態では、第１受信機と第２受信機との選択は、３つのブール条件の論理結合に基づき得るものであり、それらの３つのブール条件は、（１）現在の状態が第１のスケジューリング状態に等しいか又は第２のスケジューリング状態に等しいかを示す、第１の条件、（２）信号干渉の指標が第１の閾値を上回るか又は下回るかを示す、第２の条件、及び（３）チャネル条件の指標が第２の閾値を上回るか又は下回るかを示す、第３の条件を含む。
無線ＵＥデバイス８００（図８）
【０１１５】
実施形態の１セットでは、無線ユーザ機器（ＵＥ）デバイス８００は、図８に示すように、セルラーネットワークと無線通信するように構成することができる。このＵＥデバイスは、処理エージェント８１０（例えば、上記で様々に説明されたようなもの）、第１受信機８１５、及び第２受信機８２０を含む。（ＵＥデバイス８００はまた、上述の特徴、要素、及び実施形態の任意のサブセットも含み得る。一部の実施形態では、ＵＥデバイス８００は、ＵＥデバイス１０６に関連して上述されたように構成される。）第２受信機８２０は、第１受信機８１５よりも高い電力で動作するように構成される。更には、第２受信機は、第１受信機よりも低い復号誤り率及び／又は高いデータレートを達成する、より複雑な復号アルゴリズムを採用することができる。
【０１１６】
処理エージェントは、受信制御チャネルを分析して、スケジュールされたサブフレームの発生を検出し、アクティビティタイマーが作動していないとき、第１のスケジューリング状態に留まり、スケジュールされたサブフレームの発生の各検出に応じて、第２のスケジューリング状態に遷移して、アクティビティタイマーを始動させ、アクティビティタイマーが満了すると、第１のスケジューリング状態に遷移し、制御データに基づいて、第１受信機と第２受信機との選択を制御するように、構成することができ、この制御データは、現在の状態が第１のスケジューリング状態に等しいか又は第２のスケジューリング状態に等しいかを示す情報を含む。この選択は、受信機のうちの一方の入力に、受信ベースバンド信号を結合するスイッチ８１２として、図８に表される。しかしながら、この選択機能は、プログラムコード（ソフトウェア）の観点からも同様に実行することができる。処理エージェント８１０は、スイッチ８１２の選択状態を決定する、制御信号ＣＳを提供することができる。
方法９００（図９）
【０１１７】
実施形態の１セットでは、無線ユーザ機器（ＵＥ）デバイスを動作させるための方法９００は、図９に示す動作を含み得る。（更には、方法９００は、上述の特徴、要素、及び実施形態のうちの任意のサブセットを含み得る。）方法９００は、処理エージェントによって、例えば、記憶されたプログラム命令の実行に応ずる１つ以上のプロセッサによって、ＦＰＧＡなどの１つ以上のプログラム可能ハードウェア要素によって、又はＡＳＩＣなどの１つ以上の特注設計デジタル回路によって、あるいは前述の任意の組み合わせによって、実行することができる。ＵＥデバイスは、第１受信機及び第２受信機を含み、セルラーネットワークと無線通信するように構成される。第２受信機は、第１受信機よりも高い電力で動作するように構成することができる。更には、第２受信機は、第１受信機よりも低い復号誤り率及び／又は高いデータレートを達成する、より複雑な復号アルゴリズム（例えば、先進的干渉除去アルゴリズム）を採用することができる。
【０１１８】
９１０で、処理エージェントは、例えば、上記で様々に説明されたように、受信制御チャネルを分析して、スケジュールされたサブフレームの発生を検出することができる。
【０１１９】
９１５で、処理エージェントは、アクティビティタイマーが作動していないとき、第１のスケジューリング状態に留まることができる。
【０１２０】
９２０で、Ｙ個の直近のサブフレーム期間内での、少なくともＮ個のスケジュールされたサブフレームの発生の検出に応じて、処理エージェントは、第２のスケジューリング状態に遷移して、アクティビティタイマーを始動させることができ、ここで、Ｎは、１≦Ｎ≦Ｙであるような既定の整数値である。この遷移は、その意味の範囲内に、遷移が（図６の遷移６１５の場合と同様に）第１のスケジューリング状態から第２のスケジューリング状態へのものである可能性と、遷移が（図６の遷移６２２の場合と同様に）第２のスケジューリング状態からその第２のスケジューリング状態自体へのものである可能性とを含む。後者の可能性では、アクティビティタイマーを始動させるアクションは、アクティビティタイマーの再始動として解釈することができる。
【０１２１】
９２５で、処理エージェントは、アクティビティタイマーが満了すると、第１のスケジューリング状態に遷移することができる。
【０１２２】
９３０で、処理エージェントは、例えば、上記で様々に説明されたように、制御データに基づいて、第１受信機と第２受信機との選択を制御することができる。この制御データは、現在の状態が第１のスケジューリング状態に等しいか又は第２のスケジューリング状態に等しいかを示す情報を含む。
【０１２３】
一部の実施形態では、例えば、上記で様々に説明されたように、第１受信機は、線形等化アルゴリズムを採用するように構成され、かつ／又は、第２受信機は、先進的干渉除去アルゴリズムを採用するように構成される。
【０１２４】
一部の実施形態では、制御データはまた、例えば、上記で様々に説明されたように、チャネル条件の指標も含む。これらの実施形態では、第１受信機と第２受信機との選択を制御するアクションは、そのチャネル条件の指標を、既定の閾値と比較することを含み得る。チャネル条件の指標が閾値を上回ることは、第１受信機に向けて選択にバイアスをかける傾向がある。反対に、チャネル条件の指標が閾値を下回ることは、第２受信機に向けて選択にバイアスをかける傾向がある。
【０１２５】
一部の実施形態では、制御データはまた、例えば、上記で様々に説明されたように、受信信号干渉の指標も含む。これらの実施形態では、第１受信機と第２受信機との選択を制御するアクションは、その信号干渉の指標を、既定の閾値と比較することを含み得る。信号干渉の指標が閾値を上回ることは、第２受信機に向けて選択にバイアスをかける傾向がある。信号干渉の指標が閾値を下回ることは、第１受信機に向けて選択にバイアスをかける傾向がある。
【０１２６】
一部の実施形態では、制御データは、例えば、上記で様々に説明されたように、チャネル条件の指標及び受信信号干渉の指標を含む。これらの実施形態では、第１受信機と第２受信機との選択は、３つのブール条件の論理結合に基づき得るものであり、それらの３つのブール条件は、（１）現在の状態が第１のスケジューリング状態に等しいか又は第２のスケジューリング状態に等しいかを示す、第１の条件、（２）信号干渉の指標が第１の閾値を上回るか又は下回るかを示す、第２の条件、及び（３）チャネル条件の指標が第２の閾値を上回るか又は下回るかを示す、第３の条件を含む。
【０１２７】
一部の実施形態では、パラメータＮ及びＹは、双方とも１に等しく、Ｎ＝Ｙ＝１である。
【０１２８】
一部の実施形態では、パラメータＮ及びＹは、適応調整アルゴリズムによって決定される。
【０１２９】
一部の実施形態では、パラメータＮ及びＹは、１≦Ｎ＜Ｙとなるように設定される。
【０１３０】
一部の実施形態では、パラメータＮ及びＹは、１＜Ｎ＜Ｙとなるように設定される。
【０１３１】
ＨＰＨＰ受信機は、ＬＰＢ受信機に勝る性能利得を有するため、電力の供給が無制限である場合には、全てのスケジュールされたサブフレームに対してＨＰＨＰ受信機を使用することを望む。それゆえ、ＨＰＨＰ受信機で復号されないサブフレームの数を分析することによって、Ｎ及びＹの良好な値を選択することができる。ＨＰＨＰ受信機で復号されないサブフレームの数が、十分に少ないものである限りは、Ｎを増大させ、かつ／又はＹを減少させることによって、電力を節約することができる。Ｎ及びＹに関する妥当な値は、何らかの典型的なトラフィックパターン（例えば、ビデオストリーミング、ウェブブラウジングなどを含めた、ユーザアクティビティの典型的パターン）で、それらの値をシミュレートすることによって見出すことができる。
【０１３２】
実施形態の１セットでは、セルラーネットワークと無線通信するように構成された無線ユーザ機器（ＵＥ）デバイスは、処理エージェント（例えば、上記で様々に説明されたようなもの）、第１受信機、及び第２受信機を含み得る。（ＵＥデバイスはまた、上述の特徴、要素、及び実施形態のうちの任意のサブセットも含み得る。）第２受信機は、第１受信機よりも高い電力で動作するように構成される。更には、第２受信機は、第１受信機よりも低い復号誤り率及び／又は高いデータレートを達成する、より複雑な復号アルゴリズムを採用する。処理エージェントは、受信制御チャネルを分析して、スケジュールされたサブフレームの発生を検出し、アクティビティタイマーが作動していないとき、第１のスケジューリング状態に留まり、Ｙ個の直近のサブフレーム期間内での、少なくともＮ個のスケジュールされたサブフレームの発生の検出に応じて、第２のスケジューリング状態に遷移して、アクティビティタイマーを始動させ、ここで、１≦Ｎ≦Ｙであり、アクティビティタイマーが満了すると、第１のスケジューリング状態に遷移し、制御データに基づいて、第１受信機と第２受信機との選択を制御するように、構成することができ、この制御データは、現在の状態が第１のスケジューリング状態に等しいか又は第２のスケジューリング状態に等しいかを示す情報を含む。
【０１３３】
更なる実施形態を、以下の番号のパラグラフで説明する。
【０１３４】
Ａ１．セルラーネットワークと無線通信するように構成されたユーザ機器（ＵＥ）デバイスを動作させるための方法であって、このＵＥデバイスは、第１受信機及び第２受信機を含み、この方法は、処理エージェントを利用して動作のセットを実行することを含み、それらの動作は、（ａ）受信制御チャネルを分析して、スケジュールされたサブフレームの発生を検出することと、（ｂ）アクティビティタイマーが作動していないとき、第１のスケジューリング状態に留まることと、（ｃ）スケジュールされたサブフレームの発生の各検出に応じて、第２のスケジューリング状態に遷移して、アクティビティタイマーを始動させることと、（ｄ）アクティビティタイマーが満了すると、第１のスケジューリング状態に遷移することと、（ｅ）制御データに基づいて、第１受信機と第２受信機との選択を制御することとを含み、この制御データは、現在の状態が第１のスケジューリング状態に等しいか又は第２のスケジューリング状態に等しいかを示す情報を含み、第２受信機は、第１受信機よりも高い電力で動作するように構成され、第２受信機は、第１受信機よりも低い復号誤り率及び／又は高いデータレートを達成する、より複雑な復号アルゴリズムを採用する。
【０１３５】
Ａ２．請求項Ａ１の無線ＵＥデバイスであって、制御データはまた、チャネル条件の指標及び／又は受信信号干渉の指標も含む。
【０１３６】
Ａ３．セルラーネットワークと無線通信するように構成された無線ユーザ機器（ＵＥ）デバイスであって、このＵＥデバイスは、第１受信機と、第１受信機よりも高い電力で動作するように構成された第２受信機であって、第１受信機よりも低い復号誤り率及び／又は高いデータレートを達成する、より複雑な復号アルゴリズムを採用する、第２受信機と、（ａ）受信制御チャネルを分析して、スケジュールされたサブフレームの発生を検出し、（ｂ）アクティビティタイマーが作動していないとき、第１のスケジューリング状態に留まり、（ｃ）スケジュールされたサブフレームの発生の各検出に応じて、第２のスケジューリング状態に遷移して、アクティビティタイマーを始動させ、（ｄ）アクティビティタイマーが満了すると、第１のスケジューリング状態に遷移し、（ｅ）制御データに基づいて、第１受信機と第２受信機との選択を制御するように構成され、この制御データが、現在の状態が第１のスケジューリング状態に等しいか又は第２のスケジューリング状態に等しいかを示す情報を含む、処理エージェントとを備える。
データスケジューリングアクティビティのフィルタベースの測定
【０１３７】
一部の実施形態では、データスケジューリングアクティビティの状態（高いか又は低いか）は、サブフレーム指数ｎの関数として、スケジュールされたサブフレームの瞬間的な存在又は不在を表す、２進値信号Ｘ（ｎ）をフィルタ処理し、次いで、そのフィルタの出力に閾値を適用することによって、判定することができる。例えば、図１０を参照されたい。入力信号Ｘ（ｎ）（この信号の実施例は、図１０の項目番号１００５によって示される）は、第ｎのサブフレームがスケジュールされている場合には１に等しく、そうではない場合にはゼロに等しい。一部の実施形態では、このフィルタは、収束するために、すなわち、有効な出力を得るために、一定の時間量を必要とする。この収束時間は、フィルタのインパルス応答の時間的幅に応じて、例えば、ＦＩＲフィルタの場合、フィルタ窓のサイズに応じて、又は、ＩＩＲフィルタの場合、フィルタパラメータ値に応じて、決定される。フィルタの出力は、そのフィルタが収束するまで、無視される（すなわち、データスケジューリングアクティビティが高いか又は低いかの判定を行うためには使用されない）場合がある。
【０１３８】
このフィルタは、ＦＩＲフィルタ又はＩＩＲフィルタ（例えば、１タップのＩＩＲフィルタ、又はより一般的には、ｍＴタップのＩＩＲフィルタ、この場合、ｍＴは正の整数である）とすることができる。ＦＩＲの場合には、フィルタは、その出力がフィルタ窓の範囲にわたるデータスケジューリング率に等しくなるように構成することができる。例えば、一実施形態では、ＦＩＲフィルタは、そのインパルス応答の係数が１／ＮＦＩＲに等しくなるように構成することができ、ここで、ＮＦＩＲは、そのＦＩＲフィルタによって使用される窓の幅である。他の実施形態では、ＦＩＲフィルタは、そのインパルス応答の係数が、ガウス関数、二乗余弦関数、多項式関数などに一致するように構成することができる。多種多様な他の可能性が想到される。
【０１３９】
一部の実施形態では、フィルタは、因果的フィルタとすることができるが、他の実施形態では、フィルタは、非因果的フィルタとすることができる。
【０１４０】
データスケジューリングアクティビティに関する有意味な判定を行うためにフィルタ出力が使用可能となるまでの（開始時間ｎ＝０からの）時間量を減少させるために、フィルタは、最初に、そのインパルス応答の時間的幅が小さいものとなるように構成することができ、次いで、その時間的幅が定常値に到達するまで、漸進的に（例えば、継続的に、又は滑らかに、又は線形的に、又は区分線形方式で、又は区分定数方式で）時間的幅が増大するように、反復的に再構成することができる。ＦＩＲフィルタの場合には、この目標は、フィルタ窓のサイズ、すなわち、フィルタの瞬間的出力を判定するために使用される入力信号データの移動窓のサイズを、漸進的に増大させることによって達成することができる。シングルタップＩＩＲフィルタの場合には、この目標は、フィルタ係数の値を漸進的に減少させることによって達成することができる。ＩＩＲフィルタ初期化の下記の論考を参照されたい。
ＦＩＲフィルタの漸進的初期化
【０１４１】
上述のように、ＦＩＲフィルタは、フィルタ窓のサイズを漸進的に増大させることによって初期化することができる。非漸進的初期化１０１０及び漸進的初期化１０１５の双方を、図１０に示す。一部の実施形態では、フィルタの出力は、定期的に（例えば、図１０の実施例では２０  ＴＴＩごとに）評価することができる。各評価は、高いデータスケジューリングアクティビティと低いデータスケジューリングアクティビティとを識別するために、そのフィルタの出力を閾値と比較することを伴い得る。
【０１４２】
非漸進的初期化１０１０では、フィルタは、固定された窓サイズ（すなわち、図１０の実施例では１００  ＴＴＩ）を有する。サブフレーム指数ｎが１００  ＴＴＩに到達するまで、フィルタの出力を故意に抑制することができ、すなわち、ゼロに等しく設定することができる。（フィルタの出力は、時間指数ｎが窓サイズを上回るか又は等しくなるまで、十分な信頼性がないものと見なすことができる。）その時点で、フィルタは、データスケジューリング率を２０  ＴＴＩごとに出力する。このスケジューリング率は、フィルタ窓のサイズに対する、そのフィルタ窓の範囲内のスケジュールされたデータサブフレームの数の比率として、算出することができる。（フィルタ窓はまた、本明細書では「測定窓」と称することもできる。）
【０１４３】
漸進的初期化１０１５では、フィルタの窓サイズは漸進的に増大し、例えば、ｎ＝２０での第１の出力評価時間に関しては、２０  ＴＴＩで開始して、ｎ＝４０での第２の出力評価時間に関しては、４０  ＴＴＩに増大し、ｎ＝６０での第３の出力評価時間に関しては、６０  ＴＴＩに増大し、ｎ＝８０での第４の出力評価時間に関しては、８０  ＴＴＩに増大し、ｎ＝１００での第５の出力評価時間及びそれ以降に関しては、１００  ＴＴＩで飽和している。（増大のパターンは、この実施例でのように線形である必要はない。より一般的には、窓サイズは、何らかの適切な小さい値で開始することにより、迅速な初期応答を生成し、定常値で飽和する、増加関数である。更には、フィルタ窓の開始サイズ及び飽和サイズは、例えば、具体的な適用のコンテキストに応じて、任意の所望の値を取ることができる。）それゆえ、このスケジューリングアクティビティの所定のパターン及び窓サイズの変動の所定のスケジュールに関して、フィルタは、以下のスケジューリング比率の値のシーケンスを、出力として生成する。
０／２０、２／４０、４／６０、４／８０、５／１００、７／１００、６／１００、５／１００、６／１００、６／１００、５／１００。
分母は、窓サイズに対応して増大することに留意されたい。分母が１００  ＴＴＩに到達した後、この比率は、非漸進的初期化の場合に生成される比率と同一となる。
【０１４４】
２つの場合を対比すると、閾値条件（すなわち、フィルタ出力≧閾値である条件）は、０．０５の閾値を想定すると、非漸進的な場合１０１０では、ｎ＝１００で初めて満たされ、漸進的初期化の場合１０１５では、ｎ＝４０で満たされることに留意されたい。それゆえ、漸進的初期化は、高いデータスケジューリングアクティビティの状態への、遙かに迅速な始動後の遷移を可能にする。
１タップＩＩＲフィルタの漸進的初期化
【０１４５】
上述のように、漸進的初期化プロセスは、一部の実施形態では、ＩＩＲフィルタで実行することができる。典型的な１タップＩＩＲフィルタは、以下のように表すことができる。
Ｙ（ｎ）＝（１−α）＊Ｙ（ｎ−１）＋α＊Ｘ（ｎ）、
式中、αは正のフィルタ係数、例えば、区間（０，１］の範囲内の値である。Ｘ（ｎ）はフィルタ入力であり、Ｙ（ｎ）はフィルタ出力である。また、第ｎサブフレームでのデータパケットがスケジュールされている場合、Ｘ（ｎ）＝１であり、そうではない場合、Ｘ（ｎ）＝０であることも想起されたい。
【０１４６】
Ｎ＝Ｆｌｏｏｒ（１／α）とし、Ｆｌｏｏｒ（ｚ）は、ｚ以下の最大の整数を意味する。漸進的初期化を実施するために、ＩＩＲフィルタは、以下の式に従うことができる。
Ｙ（ｎ）＝（１−αｎ）＊Ｙ（ｎ−１）＋αｎ＊Ｘ（ｎ）、
ｎ≦Ｎである場合には、αｎ＝１／ｎ、
ｎ＞Ｎである場合には、αｎ＝α、
式中、αは既定の定数値である。換言すれば、フィルタ係数は、ｎ＝１であるときに１から開始して、αに等しくなる（又は、極めて近接する）まで漸進的に減少する。
方法１１００（図１１）
実施形態の１セットでは、無線ユーザ機器（ＵＥ）デバイスを動作させるための方法１１００は、図１１に示す動作を含み得る。（方法１１００はまた、上述の特徴、要素、及び実施形態のうちの任意のサブセットも含み得る。）ＵＥデバイスは、セルラーネットワークと無線通信するように構成され、第１受信機及び第２受信機を含む。第２受信機は、第１受信機よりも高い電力で動作するように構成される。更には、第２受信機は、第１受信機よりも低い復号誤り率及び／又は高いデータレートを達成する、より複雑な復号アルゴリズムを採用する。
【０１４７】
１１１０で、処理エージェント（例えば、上記で様々に説明されたようなもの）は、時間間隔のシーケンスにそれぞれ対応する、２進値のインジケータのシーケンスを受信することができ、それら２進値のインジケータのそれぞれは、それらの時間間隔のうちの対応する１つ内にサブフレームがスケジュールされているか否かを示す。この２進値のインジケータは、受信制御チャネルを監視することによって得ることができる。（例えば、ＨＳＤＰＡのコンテキストでは、この制御チャネルは、ＨＳ−ＳＣＣＨとすることができる。）
【０１４８】
１１１５で、処理エージェントは、例えば、上記で様々に説明されたように、フィルタを使用して２進値のインジケータのシーケンスをフィルタ処理することにより、出力シーケンスを得ることができる。（この出力シーケンスの値は、例えば、実数値又は固定小数点値とすることができる。）２進値のインジケータのシーケンスをフィルタ処理するアクションは、フィルタのインパルス応答の時間的幅を、第１の正値から、第１の正値よりも大きい第２の正値へと増大させることを含み得る。この時間的幅の増大は、漸進的な、又は連続的な、又は滑らかな、又は対数的な、又は指数関数的な、又は多項式の形状などとすることができる。一部の実施形態では、この増大のパターンは、線形、又は区分線形、又は区分定数とすることができる。
【０１４９】
１１２０で、処理エージェントは、その出力シーケンスの現在値に閾値を適用することにより、スケジューリングアクティビティの状態が高いか又は低いかを示す判定値を得ることができる。
【０１５０】
１１２５で、処理エージェントは、その判定値を含む制御データに基づいて、第１受信機と第２受信機との選択を制御することができる。判定値が、高いデータスケジューリングアクティビティの状態を示す場合、第２受信機に向けて選択にバイアスをかけることができる。反対に、判定値が、低いデータスケジューリングアクティビティの状態を示す場合、第１受信機に向けて選択にバイアスをかけることができる。例えば、図５に関連して説明されたように、この選択には、他の因子が関与し得る。
【０１５１】
一部の実施形態では、例えば、上記で様々に説明されたように、第１受信機は線形等化アルゴリズムを採用し、かつ／又は、第２受信機は先進的干渉除去アルゴリズムを採用する。
【０１５２】
一部の実施形態では、制御データはまた、例えば、上記で様々に説明されたように、チャネル条件の指標も含む。
【０１５３】
一部の実施形態では、制御データはまた、例えば、上記で様々に説明されたように、受信信号干渉の指標も含む。
【０１５４】
一部の実施形態では、制御データはまた、例えば、上記で様々に説明されたように、チャネル条件の指標及び受信信号干渉の指標も含む。
【０１５５】
一部の実施形態では、フィルタは、シングルタップＩＩＲフィルタである。これらの実施形態では、フィルタのインパルス応答の時間的幅は、既定の時間間隔にわたって、シングルタップに対応するフィルタ係数を減少させることによって、増大させることができる。
【０１５６】
一部の実施形態では、フィルタは、ＦＩＲフィルタである。これらの実施形態では、フィルタのインパルス応答の時間的幅は、例えば、上記で様々に説明されたように、既定の時間間隔にわたって、ＦＩＲフィルタによって使用されるフィルタ窓のサイズを増大させることによって、増大させることができる。
【０１５７】
実施形態の１セットでは、無線ユーザ機器（ＵＥ）デバイスは、以下のように、セルラーネットワークと無線通信するように構成することができる。このＵＥデバイスは、処理エージェント、第１受信機、及び第２受信機を含み得る。（このＵＥデバイスはまた、上述の特徴、要素、及び実施形態の任意のサブセットも含み得る。）第２受信機は、第１受信機よりも高い電力で動作するように構成される。更には、第２受信機は、第１受信機よりも低い復号誤り率及び／又は高いデータレートを達成する、より複雑な復号アルゴリズムを採用する。処理エージェントは、時間間隔のシーケンスにそれぞれ対応する、２進値のインジケータのシーケンスを受信し、それら２進値のインジケータのそれぞれが、それらの時間間隔のうちの対応する１つ内にサブフレームがスケジュールされているか否かを示し、フィルタを使用して２進値のインジケータのシーケンスをフィルタ処理することにより、出力シーケンスを得て、このフィルタ処理が、フィルタのインパルス応答の時間的幅を、第１の正値から、第１の正値よりも大きい第２の正値へと増大させることを含み、その出力シーケンスの現在値に閾値を適用することにより、データスケジューリングアクティビティの状態が高いか又は低いかを示す判定値を得て、その判定値を含む制御データに基づいて、第１受信機と第２受信機との選択を制御するように、構成することができる。
【０１５８】
更なる実施形態を、以下の番号のパラグラフで開示する。
【０１５９】
１．セルラーネットワークと無線通信するように構成された無線ユーザ機器（ＵＥ）デバイスであって、このＵＥデバイスは、第１受信機と、第１受信機よりも高い電力で動作するように構成された第２受信機であって、第１受信機よりも低い復号誤り率及び／又は高いデータレートを達成する、より複雑な復号アルゴリズムを採用する、第２受信機と、（ａ）受信制御チャネルを分析して、スケジュールされたサブフレームの発生を検出し、（ｂ）アクティビティタイマーが作動していないとき、第１のスケジューリング状態に留まり、（ｃ）Ｙ個の直近のサブフレーム期間内での、少なくともＮ個のスケジュールされたサブフレームの発生の検出に応じて、第２のスケジューリング状態に遷移して、アクティビティタイマーを始動させ、ここで、１≦Ｎ≦Ｙであり、（ｄ）アクティビティタイマーが満了すると、第１のスケジューリング状態に遷移し、（ｅ）制御データに基づいて、第１受信機と第２受信機との選択を制御するように構成され、この制御データが、現在の状態が第１のスケジューリング状態に等しいか又は第２のスケジューリング状態に等しいかを示す情報を含む、処理エージェントとを備える。
【０１６０】
２．パラグラフ１の無線ＵＥデバイスであって、第１受信機は線形等化アルゴリズムを採用し、かつ／又は、第２受信機は先進的干渉除去アルゴリズムを採用する。
【０１６１】
３．パラグラフ１の無線ＵＥデバイスであって、制御データはまた、チャネル条件の指標及び／又は受信信号干渉の指標も含む。
【０１６２】
４．パラグラフ１の無線ＵＥデバイスであって、Ｎ＝Ｙ＝１である。
【０１６３】
本開示の実施形態は、様々な形態のうちのいずれかで実現することができる。例えば、一部の実施形態は、コンピュータにより実行される方法、コンピュータ可読メモリ媒体、又はコンピュータシステムとして実現することができる。他の実施形態は、ＡＳＩＣなどの１つ以上の特注設計ハードウェアデバイスを使用して実現することができる。更に他の実施形態は、ＦＰＧＡなどの１つ以上のプログラム可能ハードウェア要素を使用して実現することができる。
【０１６４】
一部の実施形態では、永続的コンピュータ可読メモリ媒体は、プログラム命令及び／又はデータを記憶するように構成することができ、このプログラム命令は、コンピュータシステムによって実行される場合には、そのコンピュータシステムに、方法を、例えば、本明細書で説明される方法の実施形態のうちのいずれか、又は、本明細書で説明される方法の実施形態の任意の組合せ、又は、本明細書で説明される方法の実施形態のうちのいずれかの任意のサブセット、又は、そのようなサブセットの任意の組合せを実行させる。
【０１６５】
一部の実施形態では、コンピュータシステム又はデバイス（例えば、ＵＥデバイス１０６）は、プロセッサ（又は、プロセッサのセット）及びメモリ媒体を含むように構成することができ、メモリ媒体は、プログラム命令を記憶し、プロセッサは、メモリ媒体からプログラム命令を読み込み、実行するように構成され、このプログラム命令は、本明細書で説明される様々な方法の実施形態のうちのいずれか（又は、本明細書で説明される方法の実施形態の任意の組合せ、又は、本明細書で説明される方法の実施形態のうちのいずれかの任意のサブセット、又は、そのようなサブセットの任意の組合せ）を実行するように実行可能である。このコンピュータシステム又はデバイスは、様々な形態のうちのいずれかで実現することができる。
【０１６６】
更なる実施形態を、以下の番号のパラグラフで開示する。
【０１６７】
１．セルラーネットワークと無線通信するように構成された無線ユーザ機器（ＵＥ）デバイスを動作させるための方法であって、このＵＥデバイスは、第１受信機及び第２受信機を含み、この方法は、
【０１６８】
処理エージェントを利用して動作を実行することを含み、この動作は、
【０１６９】
時間間隔のシーケンスにそれぞれ対応する、２進値のインジケータのシーケンスを受信することであって、それら２進値のインジケータのそれぞれが、それらの時間間隔のうちの対応する１つ内にサブフレームがスケジュールされているか否かを示すことと、
【０１７０】
フィルタを使用して２進値のインジケータのシーケンスをフィルタ処理することにより、出力シーケンスを得ることであって、このフィルタ処理が、フィルタのインパルス応答の時間的幅を、第１の正値から、第１の正値よりも大きい第２の正値へと増大させることを含むことと、
【０１７１】
その出力シーケンスの現在値に閾値を適用することにより、データスケジューリングアクティビティの状態が高いか又は低いかを示す判定値を得ることと、
【０１７２】
その判定値を含む制御データに基づいて、第１受信機と第２受信機との選択を制御することとを含み、第２受信機は、第１受信機よりも高い電力で動作するように構成され、第２受信機は、第１受信機よりも低い復号誤り率及び／又は高いデータレートを達成する、より複雑な復号アルゴリズムを採用する。
【０１７３】
２．パラグラフ１の方法であって、第１受信機は線形等化アルゴリズムを採用する。
【０１７４】
３．パラグラフ１の方法であって、第２受信機は先進的干渉除去アルゴリズムを採用する。
【０１７５】
４．パラグラフ１の方法であって、制御データはまた、チャネル条件の指標も含む。
【０１７６】
５．パラグラフ１の方法であって、制御データはまた、受信信号干渉の指標も含む。
【０１７７】
６．パラグラフ１の方法であって、フィルタは、シングルタップＩＩＲフィルタであり、フィルタのインパルス応答の時間的幅は、既定の時間間隔にわたって、シングルタップに対応するフィルタ係数を減少させることによって、増大される。
【０１７８】
７．パラグラフ１の方法であって、フィルタは、ＦＩＲフィルタであり、フィルタのインパルス応答の時間的幅は、既定の時間間隔にわたって、ＦＩＲフィルタによって使用されるフィルタ窓のサイズを増大させることによって、増大される。
【０１７９】
上記の実施形態は、かなり詳細に説明されているが、上記の開示が完全に理解されると、当業者には、数多くの変形形態及び修正形態が明らかとなるであろう。以下の特許請求の範囲は、そのような変形形態及び修正形態の全てを包含するように解釈されることが意図される。
【図１】
2015533270.tif 000005
【図２】
2015533270.tif 000006
【図３】
2015533270.tif 000007
【図４】
2015533270.tif 000008
【図５】
2015533270.tif 000009
【図６】
2015533270.tif 000010
【図７】
2015533270.tif 000011
【図８】
2015533270.tif 000012
【図９】
2015533270.tif 000013
【図１０】
2015533270.tif 000014
【図１１】
2015533270.tif 000015
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
セルラーネットワークと無線通信するように構成された無線ユーザ機器、ＵＥ、デバイスを動作させるための方法であって、前記ＵＥデバイスが、第１受信機及び第２受信機を含み、前記第２受信機が、前記第１受信機よりも高い電力で動作するように構成され、前記第２受信機が、前記第１受信機よりも低い復号誤り率及び／又は高いデータレートを達成する、より複雑な復号アルゴリズムを採用し、前記方法が、
処理エージェントを利用して動作のセットを実行することを含み、前記動作が、
受信制御チャネルを分析して、スケジュールされたサブフレームの発生を検出することと、
既定の持続時間のアクティビティタイマーが作動していないとき、低いデータスケジューリングアクティビティの第１のスケジューリング状態に留まることと、
Ｙ個の直近のサブフレーム期間内での、少なくともＮ個のスケジュールされたサブフレームの前記発生の検出に応じて、高いデータスケジューリングアクティビティの第２のスケジューリング状態に遷移して、前記アクティビティタイマーを始動させることであって、１＜Ｎ≦Ｙである、ことと、
前記アクティビティタイマーが満了すると、前記第１のスケジューリング状態に遷移することと、
制御データに基づいて、前記第１受信機と前記第２受信機との選択を制御することと、
を含み、前記制御データが、現在の状態が前記第１のスケジューリング状態に等しいか又は前記第２のスケジューリング状態に等しいかを示す情報を含む、方法。
【請求項２】
前記第１受信機が、線形等化アルゴリズムを採用する、請求項１に記載の方法。
【請求項３】
前記第２受信機が、先進的干渉除去アルゴリズムを採用する、請求項１に記載の方法。
【請求項４】
前記制御データがまた、チャネル条件の指標及び／又は受信信号干渉の指標も含む、請求項１に記載の方法。
【請求項５】
Ｎ＜Ｙである、請求項１に記載の方法。
【請求項６】
無線ユーザ機器、ＵＥ、デバイスを動作させるための不揮発性コンピュータ可読メモリ媒体であって、前記ＵＥデバイスが、第１受信機及び第２受信機を含み、前記第２受信機が、前記第１受信機よりも低い復号誤り率及び／又は高いデータレートを達成する、より複雑な復号アルゴリズムを採用し、前記メモリ媒体が、プログラム命令を記憶し、及び前記プログラム命令が、プロセッサによって実行されると、前記プロセッサに、
受信制御チャネルを分析させて、スケジュールされたサブフレームの発生を検出させ、
既定の持続時間のアクティビティタイマーが作動していないとき、低いデータスケジューリングアクティビティの第１のスケジューリング状態に留めさせ、
Ｙ個の直近のサブフレーム期間内での、少なくともＮ個のスケジュールされたサブフレームの前記発生の検出に応じて、高いデータスケジューリングアクティビティの第２のスケジューリング状態に遷移させて、前記アクティビティタイマーを始動させ、１＜Ｎ≦Ｙであり、
前記アクティビティタイマーが満了すると、前記第１のスケジューリング状態に遷移させ、
制御データに基づいて、前記第１受信機と前記第２受信機との選択を制御させ、前記制御データが、現在の状態が前記第１のスケジューリング状態に等しいか又は前記第２のスケジューリング状態に等しいかを示す情報を含み、前記第２受信機が、前記第１受信機よりも高い電力で動作するように構成される、
不揮発性コンピュータ可読メモリ媒体。
【請求項７】
前記第２受信機が、先進的干渉除去アルゴリズムを採用する、請求項６に記載のメモリ媒体。
【請求項８】
前記制御データがまた、チャネル条件の指標も含む、請求項６に記載のメモリ媒体。
【請求項９】
前記制御データがまた、受信信号干渉の指標も含む、請求項６に記載のメモリ媒体。
【請求項１０】
Ｎ＜Ｙである、請求項６に記載のメモリ媒体。
【請求項１１】
セルラーネットワークと無線通信するための無線ユーザ機器、ＵＥ、デバイスであって、前記ＵＥデバイスは、
第１受信機と、
前記第１受信機よりも高い電力で動作するように構成された第２受信機であって、前記第１受信機よりも低い復号誤り率及び／又は高いデータレートを達成する、より複雑な復号アルゴリズムを採用する、第２受信機と、
処理エージェントであって、
（ａ）受信制御チャネルを分析して、スケジュールされたサブフレームの発生を検出し、
（ｂ）既定の持続時間のアクティビティタイマーが作動していないとき、低いデータスケジューリングアクティビティの第１のスケジューリング状態に留まり、
（ｃ）Ｙ個の直近のサブフレーム期間内での、少なくともＮ個のスケジュールされたサブフレームの前記発生の検出に応じて、高いデータスケジューリングアクティビティの第２のスケジューリング状態に遷移して、前記アクティビティタイマーを始動させ、１＜Ｎ≦Ｙであり、
（ｄ）前記アクティビティタイマーが満了すると、前記第１のスケジューリング状態に遷移し、
（ｄ）制御データに基づいて、前記第１受信機と前記第２受信機との選択を制御する、
ように構成され、前記制御データが、現在の状態が前記第１のスケジューリング状態に等しいか又は前記第２のスケジューリング状態に等しいかを示す情報を含む、処理エージェントと、
を備える、ＵＥデバイス。
【請求項１２】
前記第２受信機が、先進的干渉除去アルゴリズムを採用する、請求項１１に記載のＵＥデバイス。
【請求項１３】
前記制御データがまた、チャネル条件の指標及び／又は受信信号干渉の指標も含む、請求項１１に記載のＵＥデバイス。
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
セルラーネットワークと無線通信するように構成された無線ユーザ機器デバイス（ＵＥデバイス）を動作させるための方法であって、前記ＵＥデバイスが、第１受信機及び第２受信機を含み、前記第２受信機が、前記第１受信機よりも高い電力で動作するように構成され、前記第２受信機が、前記第１受信機よりも低い復号誤り率及び／又は高いデータレートを達成する、より複雑な復号アルゴリズムを採用し、前記方法が、
処理エージェントを利用して動作のセットを実行することを含み、前記動作が、
受信した制御チャネルを分析して、スケジュールされたサブフレームの発生を検出することと、
既定の持続時間のアクティビティタイマーが作動していないとき、低いデータスケジューリングアクティビティの第１のスケジューリング状態に留まることと、
Ｙ個の直近のサブフレーム期間内での、少なくともＮ個のスケジュールされたサブフレームの前記発生の検出に応じて、高いデータスケジューリングアクティビティの第２のスケジューリング状態に遷移して、前記アクティビティタイマーを始動させることであって、１＜Ｎ≦Ｙである、ことと、
前記アクティビティタイマーが満了すると、前記第１のスケジューリング状態に遷移することと、
制御データに基づいて、前記第１受信機と前記第２受信機との選択を制御することと、
を含み、前記制御データが、現在の状態が前記第１のスケジューリング状態に等しいか又は前記第２のスケジューリング状態に等しいかを示す情報を含む、方法。
【請求項２】
前記第１受信機が、線形等化アルゴリズムを採用する、請求項１に記載の方法。
【請求項３】
前記第２受信機が、先進的干渉除去アルゴリズムを採用する、請求項１に記載の方法。
【請求項４】
前記制御データがまた、チャネル条件の指標も含む、請求項１に記載の方法。
【請求項５】
前記制御データがまた、受信信号干渉の指標も含む、請求項１に記載の方法。
【請求項６】
Ｎ＜Ｙである、請求項１に記載の方法。
【請求項７】
Ｎ＝Ｙである、請求項１に記載の方法。
【請求項８】
セルラーネットワークと無線通信するための無線ユーザ機器デバイス（ＵＥデバイス）であって、
第１受信機と、
前記第１受信機よりも高い電力で動作するように構成された第２受信機であって、前記第１受信機よりも低い復号誤り率及び／又は高いデータレートを達成する、より複雑な復号アルゴリズムを採用する、第２受信機と、
処理エージェントであって、
（ａ）受信した制御チャネルを分析して、スケジュールされたサブフレームの発生を検出し、
（ｂ）既定の持続時間のアクティビティタイマーが作動していないとき、低いデータスケジューリングアクティビティの第１のスケジューリング状態に留まり、
（ｃ）Ｙ個の直近のサブフレーム期間内での、少なくともＮ個のスケジュールされたサブフレームの前記発生の検出に応じて、高いデータスケジューリングアクティビティの第２のスケジューリング状態に遷移して、前記アクティビティタイマーを始動させ、１＜Ｎ≦Ｙであり、
（ｄ）前記アクティビティタイマーが満了すると、前記第１のスケジューリング状態に遷移し、
（ｅ）制御データに基づいて、前記第１受信機と前記第２受信機との選択を制御する、
ように構成され、前記制御データが、現在の状態が前記第１のスケジューリング状態に等しいか又は前記第２のスケジューリング状態に等しいかを示す情報を含む、処理エージェントと、
を備える、ＵＥデバイス。
【請求項９】
前記第１受信機が、線形等化アルゴリズムを採用する、請求項８に記載のＵＥデバイス。
【請求項１０】
前記第２受信機が、先進的干渉除去アルゴリズムを採用する、請求項８に記載のＵＥデバイス。
【請求項１１】
前記制御データがまた、チャネル条件の指標も含む、請求項８に記載のＵＥデバイス。
【請求項１２】
前記制御データがまた、受信信号干渉の指標も含む、請求項８に記載のＵＥデバイス。
【請求項１３】
Ｎ＜Ｙである、請求項８に記載のＵＥデバイス。
【請求項１４】
Ｎ＝Ｙである、請求項８に記載のＵＥデバイス。
【請求項１５】
無線ユーザ機器デバイス（ＵＥデバイス）を動作させるための不揮発性コンピュータ可読メモリ媒体であって、前記ＵＥデバイスが、第１受信機及び第２受信機を含み、前記第２受信機が、前記第１受信機よりも低い復号誤り率及び／又は高いデータレートを達成する、より複雑な復号アルゴリズムを採用し、前記メモリ媒体が、プログラム命令を記憶し、前記プログラム命令が、プロセッサによって実行されると、前記プロセッサに、
受信した制御チャネルを分析させて、スケジュールされたサブフレームの発生を検出させ、
既定の持続時間のアクティビティタイマーが作動していないとき、低いデータスケジューリングアクティビティの第１のスケジューリング状態に留めさせ、
Ｙ個の直近のサブフレーム期間内での、少なくともＮ個のスケジュールされたサブフレームの前記発生の検出に応じて、高いデータスケジューリングアクティビティの第２のスケジューリング状態に遷移させて、前記アクティビティタイマーを始動させ、１＜Ｎ≦Ｙであり、
前記アクティビティタイマーが満了すると、前記第１のスケジューリング状態に遷移させ、
制御データに基づいて、前記第１受信機と前記第２受信機との選択を制御させ、
前記制御データが、現在の状態が前記第１のスケジューリング状態に等しいか又は前記第２のスケジューリング状態に等しいかを示す情報を含み、前記第２受信機が、前記第１受信機よりも高い電力で動作するように構成される、不揮発性コンピュータ可読メモリ媒体。
【請求項１６】
前記第１受信機が、線形等化アルゴリズムを採用する、請求項１５に記載のメモリ媒体。
【請求項１７】
前記第２受信機が、先進的干渉除去アルゴリズムを採用する、請求項１５に記載のメモリ媒体。
【請求項１８】
前記制御データがまた、チャネル条件の指標も含む、請求項１５に記載のメモリ媒体。
【請求項１９】
前記制御データがまた、受信信号干渉の指標も含む、請求項１５に記載のメモリ媒体。
【請求項２０】
Ｎ＜Ｙである、請求項１５に記載のメモリ媒体。
【国際調査報告】
2015533270.tif 000016
2015533270.tif 000017